(57)【特許請求の範囲】
【請求項１】
合成樹脂製の滑り止めシートと、
前記滑り止めシートの上面に積層されたクッション部材と、を備え、
前記滑り止めシートはメッシュ状であり、
前記クッション部材は、熱可塑性樹脂の線条が三次元網状に絡み合って構成された三次元網状構造体からなり、
前記クッション部材の周縁部には、前記線条が融着されてなるフランジ部が設けられ、
前記滑り止めシートの周縁部は前記フランジ部に固定されており、
前記滑り止めシートの前記上面には、前記三次元網状構造体内に突出する複数の突部が設けられていることを特徴とする浴槽用クッション。
【請求項２】
前記突部の突出高さは１．５ｍｍ以上であることを特徴とする請求項１に記載の浴槽用クッション。
【請求項３】
合成樹脂製の滑り止めシートと、
前記滑り止めシートの上面に積層されたクッション部材と、
前記クッション部材の上面を覆うカバーと、
前記カバーを前記クッション部材に固定する取付部材と、を備え、
前記滑り止めシートはメッシュ状であり、
前記クッション部材は、熱可塑性樹脂の線条が三次元網状に絡み合って構成された三次元網状構造体からなり、
前記クッション部材の周縁部には、前記線条が融着されてなるフランジ部が設けられ、
前記取付部材は、前記カバーに挿通された線材と、前記線材の一端に設けられ前記カバーの表面側に位置するリベット部と、前記線材の他端側に設けられた抜け止め部と、を有し、
前記クッション部材の前記フランジ部には、前記線材が嵌め込まれる切欠きが設けられていることを特徴とする浴槽用クッション。
【請求項４】
合成樹脂製の滑り止めシートと、
前記滑り止めシートの上面に積層されたクッション部材と、
メッシュ状のカバーと、を備え、
前記滑り止めシートはメッシュ状であり、
前記クッション部材は、熱可塑性樹脂の線条が三次元網状に絡み合って構成された三次元網状構造体からなり、
前記滑り止めシートと前記クッション部材によって積層体が構成され、
前記カバーは、前記クッション部材の外面を覆うように前記積層体に取り外し可能に装着され、
前記積層体は平面視略多角形状を有し、前記カバーは前記積層体の複数の角部において前記積層体に取り付けられることを特徴とする浴槽用クッション。
【請求項５】
前記カバーには複数のスリットが設けられ、
前記カバーは、前記複数のスリットに前記積層体の前記複数の角部を挿通させることにより、前記積層体に取り付けられることを特徴とする請求項４に記載の浴槽用クッション。
【請求項６】
熱可塑性樹脂の線条が三次元網状に絡み合って構成された三次元網状構造体からなるクッション部材と、
前記クッション部材の裏面側に位置する吸盤と、
前記吸盤を前記クッション部材に取り付ける取付部材と、を備え、
前記吸盤は、吸着盤本体と、前記吸着盤本体の外面中央に設けられた支持突部と、を有し、前記支持突部には、前記支持突部を貫通する貫通孔と、前記支持突部の端面に設けられ前記貫通孔に連通する差込口と、が設けられ、
前記取付部材は、前記クッション部材及び前記吸盤の前記差込口に差し込まれる線材と、前記線材の基端側に設けられると共に前記クッション部材の表面側に位置するリベット部と、前記線材の先端側に設けられ、前記貫通孔の内面に係止するリブと、を有することを特徴とする浴槽用クッション。
【請求項７】
合成樹脂製の袋状の滑り止めカバー部材と、
前記滑り止めカバー部材に収容されたクッション部材と、を備え、
前記滑り止めカバー部材はメッシュ状であり、
前記クッション部材は、熱可塑性樹脂の線条が三次元網状に絡み合って構成された三次元網状構造体からなり、
前記滑り止めカバー部材の内面には多数の突部が設けられていることを特徴とする浴槽用クッション。
【発明の詳細な説明】
【技術分野】
【０００１】
本発明は、浴槽内で利用できる浴槽用クッションに関する。
【背景技術】
【０００２】
従来より、高齢者等が入浴中に浴槽内で滑って怪我をしたり溺れたりするのを防止するための滑り止めマットが提案されている。例えば、特許文献１に開示の滑り止めマットは、裏面に設けられた吸盤部を浴槽面に吸着させることにより浴槽面に固定され、このように固定された滑り止めマットの上に座ることにより、筋力の衰えた高齢者等も安心して入浴できるようにされている。
【先行技術文献】
【特許文献】
【０００３】
【特許文献１】特開平９−７０３６３号公報
【発明の概要】
【発明が解決しようとする課題】
【０００４】
しかしながら、特許文献１に開示の滑り止めマットは、吸盤部が設けられたシート体から構成されており、クッション性が十分ではなかった。そのため、痩せて骨張った高齢者等が滑り止めマットに座ると尾骨が当たり、痛みを感じるおそれがあった。また、滑り止めマットの位置をずらす際には吸盤部を浴槽面から引き離す作業が必要となり、容易に位置調整することができなかった。
【０００５】
本発明は、浴槽内で快適に使用できる浴槽用クッションの提供を目的とする。
【課題を解決するための手段】
【０００６】
本発明に係る浴槽用クッションは、合成樹脂製の滑り止めシートと、前記滑り止めシートの上面に積層されたクッション部材と、を備え、前記滑り止めシートはメッシュ状であり、前記クッション部材は、熱可塑性樹脂の線条が三次元網状に絡み合って構成された三次元網状構造体からなることを特徴とする。
【０００７】
前記クッション部材の周縁部には、前記線条が融着されてなるフランジ部が設けられ、前記滑り止めシートの周縁部は前記フランジ部に固定されており、前記滑り止めシートの前記上面には、前記三次元網状構造体内に突出する複数の突部が設けられていることを特徴とする。
【０００８】
前記突部の突出高さは１．５ｍｍ以上であることを特徴とする。
【０００９】
本発明に係る浴槽用クッションは、前記滑り止めシートと前記クッション部材によって積層体が構成され、前記クッション部材の外面を覆うように前記積層体に取り外し可能に装着されるメッシュ状のカバーを更に備え、前記積層体は平面視略多角形状を有し、前記カバーは前記積層体の複数の角部において前記積層体に取り付けられることを特徴とする。
【００１０】
前記カバーには複数のスリットが設けられ、前記カバーは、前記複数のスリットに前記積層体の前記複数の角部を挿通させることにより、前記積層体に取り付けられることを特徴とする。
【００１１】
本発明に係る浴槽用クンションは、合成樹脂製の袋状の滑り止めカバー部材と、前記滑り止めカバー部材に収容されたクッション部材と、を備え、前記滑り止めカバー部材はメッシュ状であり、前記クッション部材は、熱可塑性樹脂の線条が三次元網状に絡み合って構成された三次元網状構造体からなり、前記滑り止めカバー部材の内面には多数の突部が設けられていることを特徴とする。
【発明の効果】
【００１２】
本発明に係る浴槽用クッションによれば、滑り止めシートの上面に積層されたクッション部材を備えるので、クッション性が良く、浴槽用クッションの上に座った際に骨が当たって痛みを感じるなどの不快感を軽減できる。また、浴槽用クッションによれば、滑り止めシートを備えるので、浴槽内で滑って溺れるなどの危険性を回避できる。更に、滑り止めシートはメッシュ状であるので、水切れを良くできる。また、クッション部材は、熱可塑性樹脂の線条が三次元網状に絡み合って構成された三次元網状構造体からなるので、水切れがよい。
【００１３】
また、滑り止めシートの周縁部はクッション体のフランジ部に固定されているので、滑り止めシートからクッション体が外れることがない。また、滑り止めシートの上面には三次元網状構造体内に突出する複数の突部が設けられているので、クッション体に横向きの力が働いても、滑り止めシートの突部が三次元網状構造体を構成する線条に引っ掛かり、クッション体が滑り止めシートに対して横ずれするのを防止できる。
【００１４】
更に、突部の突出高さは１．５ｍｍ以上であるので、突部の線条に対する引っかかりを確実にでき、クッション体の滑り止めシートに対する横ずれを効果的に防止できる。
【００１５】
本発明に係る浴槽用クッションによれば、取付部材は、カバーに挿通された線材と、線材の一端に設けられカバーの表面側に位置するリベット部と、線材の他端側に設けられた抜け止め部と、を有するので、クッション部材のフランジ部に線材が嵌め込むだけで簡単にカバーの取付を行うことができる。
【００１６】
また、カバーを更に備えるので、クッション体を構成する線条が直接使用者の肌に触れず、肌触りを良くできる。カバーは、スリットに積層体の角部を挿通させることにより積層体に取り付けられるので、カバーの着脱を容易にできる。
【００１７】
本発明に係る浴槽用クッションによれば、クッション部材は、熱可塑性樹脂の線条が三次元網状に絡み合って構成された三次元網状構造体からなるので、クッション性が良く、浴槽面に骨が当たって痛みを感じるなどの不快感を軽減できる。また、吸盤をクッション部材に取り付けるための取付部材は、クッション部材及び吸盤の差込口に差し込まれる線材と、線材の基端側に設けられると共にクッション部材の表面側に位置するリベット部と、線材の先端側に設けられ貫通孔の内面に係止するリブと、を有するので、取付部材をクッション部材と吸盤の差込口に差し込むだけで吸盤を取り付けることができ、吸盤の取付を容易にできる。
【００１８】
本発明に係る浴槽用クンションによれば、滑り止めカバー部材に収容されたクッション部材を備えるので、クッション性が良く、浴槽用クッションの上に座った際に骨が当たって痛みを感じるなどの不快感を軽減できる。また、浴槽用クッションによれば、滑り止めカバー部材を備えるので、浴槽内で滑って溺れるなどの危険性を回避できる。更に、滑り止めカバー部材はメッシュ状であるので、水切れを良くできる。また、クッション部材は、熱可塑性樹脂の線条が三次元網状に絡み合って構成された三次元網状構造体からなるので、水切れがよい。
【図面の簡単な説明】
【００１９】
【図１】本発明の第１実施形態に係る浴槽用クッションの平面図。
【図２】図１のＩＩ―ＩＩ線断面図。
【図３】（ａ）は図１に示す浴槽用クッションの分解斜視図、（ｂ）は（ａ）の部分拡大図。
【図４】図３（ａ）のＩＶ―ＩＶ線断面図。
【図５】本発明の第２実施形態に係る浴槽用クッションの斜視図。
【図６】図５に示す浴槽用クッションを下面側からみた斜視図。
【図７】図５に示す浴槽用クッションの分解斜視図。
【図８】本発明の第３実施形態に係る浴槽用クッションの斜視図。
【図９】（ａ）は図８に示す浴槽用クッションの分解斜視図、（ｂ）は（ａ）の部分拡大図。
【図１０】（ａ）は図８に示す浴槽用クッションが備えるカバーの裏面斜視図、（ｂ）は（ａ）の部分拡大図。
【図１１】図８のＸＩ―ＸＩ線断面図。
【図１２】本発明の第４実施形態に係る浴槽用クッションの斜視図。
【図１３】図１２に示す浴槽用クッションの使用状態を説明する説明図。
【図１４】図１２に示す浴槽用クッションにおける吸盤の取り付け方法を説明する図。
【発明を実施するための形態】
【００２０】
［第１実施形態］
以下、添付図面を参照して、本発明の第１実施形態に係る浴槽用クッションについて説明する。図１〜図４を参照して、図示の浴槽用クッション１は、入浴時に湯の張られた浴槽内で使用されるものであり、クッション部材２と、クッション部材２の裏面に設けられた滑り止めシート３と、を備える。
【００２１】
クッション部材２は、熱可塑性樹脂の線条２１からなる三次元網状構造体からなり、クッション部材２の周縁部にはフランジ部２２が設けられている。三次元網状構造体としては、例えば東洋紡績株式会社製のブレスエアー（登録商標）を用いることができる。このような三次元網状構造体は、熱可塑性樹脂からなる多数の線条をランダムに三次元的に絡み合わせ、これを加熱処理等することによって線条同士の接触部を接合することにより形成される。クッション部材２のフランジ部２２は、このような三次元網状構造体の端部を全周にわたって加熱加圧することによって、線条２１同士が融着されて形成されている。
【００２２】
本実施形態におけるクッション部材２を形成する線条２１は中実状且つ低吸水性（又は無吸水性）であるのが好ましい。中実状の線条２１を用いることにより、浴槽用クッション１が水面に浮くのを防止して、浴槽用クッション１が水中に沈んだ状態に維持でき、低吸水性（又は無吸水性）の線条２１を用いることにより水切れを良くして清潔に保つことができる。また、クッション部材２の上面には使用者の臀部を支持する窪み２３が設けられている。
【００２３】
滑り止めシート３は、可撓性を有する合成樹脂製のシート材であって、その周縁部がクッション部材２のフランジ部２２の下面に超音波融着により固定されている。滑り止めシート３は多数の孔３１を有するメッシュ状に形成され、その上面３２には多数の突部３３が設けられ、これらの突部３３はクッション部材２を構成する三次元網状構造体内に突出している。一方、滑り止めシート３の下面３４には突部３３は形成されず、略平坦とされている。滑り止めシート３はクッション部材２と同様に低吸水性（又は無吸水性）のシート材からなるのが好ましい。
【００２４】
このように構成された浴槽用クッション１を湯の張られた浴槽内に入れると、自重により浴槽底面に沈む。このとき、クッション部材２は三次元網状構造を有すると共に、滑り止めシート３はメッシュ状であるため、水の抵抗を過度に受けることなく浴槽用クッション１をスムーズに沈めることができると共に、浴槽用クッション１と浴槽底面との間に湯が溜まりにくくなる。即ち、浴槽用クッションと浴槽底面との間に湯（又は水）が溜まると、水の作用により浴槽用クッションは滑り易くなるが、浴槽用クッション１ではこのような問題を解消できる。
【００２５】
そして、使用者が浴槽に入り浴槽用クッション１の上に座ると、使用者の体重によって滑り止めシート３が浴槽底面に押圧され、浴槽用クッション１が浴槽底面上を滑るのが防止される。よって、使用者は滑る心配をすることなく、安心して入浴することができる。また、使用者が腰を軽く浮かせれば、浴槽用クッション１の浴槽底面に対する押圧が開放されるので、浴槽用クッション１の位置を容易にずらすことができる。即ち、吸盤を用いた従来の滑り止めマットでは、吸盤による吸着を外さなければ位置をずらせないという煩わしさがあったが、本実施形態における浴槽用クッション１ではこのような手間が不要であり、浴槽内における位置調整を容易にできる。
【００２６】
また、このようにして浴槽用クッション１に座ると、使用者の臀部はクッション部材２により支持されるので、尾骨等に痛みを感じることなく快適に入浴できる。なお、浴槽用クッション１が十分なクッション性を有するためには、クッション部材２の厚みＴ１（最大厚み）を２．０ｃｍ以上とするのが好ましい。
【００２７】
ここで、使用者が寝そべるような姿勢をとり、浴槽用クンション１の表面に対して斜めの方向Ｄ１（図２参照）に体重がかかると、クッション部材２には滑り止めシート３に対して横にずれる方向（横方向Ｄ２）に力が働く。しかしながら、滑り止めシート３はその周縁部においてクッション部材２のフランジ部２２に融着されているので、クッション部材２が滑り止めシート３から外れてしまうことがない。また、クッション部材２に対して融着されていない滑り止めシート３の中央領域においても、滑り止めシート３の上面３２に設けられた多数の突部３３がクッション部材２を構成する三次元網状構造体内に突出しているため、これらの突部３３がクッション部材２を形成する多数の線条２１に引っ掛かるようになり、当該中央領域においてもクッション部材２の滑り止めシート３に対する横方向Ｄ２の位置ずれが防止される。よって、使用者の臀部がクッション部材２と共に滑り止めシート３に対して横方向Ｄ２に滑ることがない。なお、クッション部材２の滑り止めシート３に対する横方向Ｄ２の位置ずれを効果的に防止するためには、突部３３の突出高さＨ１は１．５ｍｍ以上とするのが好ましい。
【００２８】
更に、浴槽用クッション１は滑り止めシート３の上面３２にクッション部材２を積層させて構成されているため、仮に使用者が斜めの方向Ｄ１から浅い角度で浴槽用クッション１に足を載せても、浴槽用クッション１が浴槽底面に対して滑るのを防止できる。即ち、仮に滑り止めシート３のみを浴槽底面に置き、滑り止めシート３の上に浅い斜めの方向Ｄ１から足を載せると、足を載せた瞬間（即ち、使用者の体重が滑り止めシート３にのりきる前）に滑り止めシート３が浴槽底面に対して滑るおそれがある。これは、滑り止めシート３が浴槽底面に十分に押圧されていない状態で横方向Ｄ２の力が滑り止めシート３に直接働くためと考えられる。
【００２９】
一方、滑り止めシート３の上面３２にクッション部材２を積層させて構成された浴槽用クッション１においては、使用者が斜めの方向Ｄ１から浅い角度で浴槽用クッション１に足を載せても、浴槽用クッション１が浴槽底面に対して滑らないことが実験により確認できた。これは、クッション部材２を介して滑り止めシート３に力が伝達されるまでのわずかな時間の遅れによって滑り止めシート３が浴槽底面に対して十分に押圧されるためと考えられる。
【００３０】
更に、クッション部材２も滑り止めシート３も吸水性を有さない多孔質状であるため水切れが良く、浴槽用クッション１を清潔に保つことができる。
【００３１】
［第２実施形態］
次に、本発明の第２実施形態に係る浴槽用クッションについて説明する。なお、以下の各実施形態において上述した第１実施形態におけるものと実質同一の部材には同一の参照番号を付し、詳細な説明は省略する。
【００３２】
図５〜図７を参照して、浴槽用クッション１０１は、上述した浴槽用クッション１とカバー５とを併用したものである。より具体的に、浴槽用クッション１０１は、積層されたクッション部材２と滑り止めシート３からなる浴槽用クッション体４（積層体）と、浴槽用クッション体４に装着されたカバー５と、を備え、浴槽用クッション体４は上述した浴槽用クッション１と同一の構成を有する。
【００３３】
カバー５はナイロン製、ポリエステル製、又は製塩化ビニール製のメッシュ状シートからなる。本実施形態においては、浴槽用クッション体４は平面視略矩形状を有し、これに対応してカバー５も平面視略矩形状を有する。カバー５の角部には浴槽用クッション体４の４つの角部４ａに対応して４つのスリット５ａが設けられ、これによりカバー部５の各角部には耳部５ｂが規定されている。各スリット５ａの長手方向は対応する角部４ａの二等分線に対して実質直角であるのが好ましい。
【００３４】
このように構成されたカバー５を浴槽用クッション体４に装着するには、浴槽用クッション体４の角部４ａを対応のスリット５ａに挿通させて耳部５ｂを角部４ａに引っ掛かければよい。このようにカバー５を浴槽用クッション体４に装着させると、クッション部材２の裏面と４つの角部４ａとを除く外面がほぼ全域にわたってカバー５により覆われる一方で、浴槽用クッション体４の裏面（滑り止めシート３の下面３４）は、その角部４ａがカバー５の耳部５ｂによって部分的に僅かに覆われ、その大部分は露出した状態に保たれる。
【００３５】
このようにカバー５を用いることにより、使用者が浴槽用クッション１０１の上に座っても線条２１が使用者の肌に直接触れないため、肌触りを良くできる。また、このようにカバー５を用いても、滑り止めシート３の下面３４は僅かにカバー５の耳部５ａによって覆われるに過ぎず、その大部分は露出した状態とされるため、滑り止めシート３による滑り止め効果が損なわれることがない。また、カバー５は耳部５を浴槽用クッション体４の角部４ａに引っ掛けるだけで装着できるので、カバー５の取り外しを容易にできる。更に、カバー５はナイロン製、ポリエステル製、又は塩化ビニールのメッシュシートからなるため、水切れがよく、清潔に使用することができる。
【００３６】
［第３実施形態］
次に、本発明の第３実施形態に係る浴槽用クッションについて説明する。図８及び図９を参照して、浴槽用クッション２０１は、クッション体２０４にカバー２０５が着脱自在に装着されたものである。クッション体２０４（積層体）は、クッション部材２０２と滑り止めシート３が積層されて構成されている。クッション部材２０２は、上述したクッション部材２と略同一の構成を有するが、クッション部材２０２のフランジ部２２２の４箇所の角部に略鍵穴状の切り込みＡが形成されている点で異なる。滑り止めシート３は第１実施形態のものと同一であり、その周縁部のうち４つの角部（切り込みＡに対応する部分）を除いた部分が、クッション部材２０２のフランジ部２２２の下面に超音波融着により固定されている。
【００３７】
カバー２０５は、滑り止めシート３と同一の素材から構成されている。即ち、カバー２０５は可撓性を有する合成樹脂製のシート材からなり、図１０に示す様に、多数の孔３１を有するメッシュ状に形成され、その下面２５２には多数の突部３３が設けられている。また、カバー２０５の周縁部にはヘム巻き加工が施されている。
【００３８】
このカバー２０５は、カバー２０５に予め取り付けられた４個の取付部材６を用いてクッション体２０４に装着される。図１１に示す様に、取付部材６は、カバー２０５に挿通された線材６１と、線材６１の先端に固定されたリベット部６２と、線材６１に抜け不能に装着されたリング状の抜け止め部６３と、線材６１の他端に抜け不能に装着された抜け止め部６４と、を備える。
【００３９】
線材６１は、カバー２０５の角部に挿通されており、カバー２０５の上面２５１側にリベット部６２が位置し、下面２５２側に抜け止め部６３が位置することによって、取付部材６がカバー２０５から外れないようにされている。そして、線材６１の中間部（抜け止め部６３と抜け止め部６４の間の部分）をクッション部材２０２の切欠きＡに嵌め込むことにより、カバー２０５をクッション部材２０２に装着することができる。このとき、取付部材６の抜け止め部６４は図１１に示す様に、クッション部材２０２のフランジ部２２２と滑り止めシート３の間に位置する。
【００４０】
このように、本実施形態によれば、カバー２０５に予め取り付けられている取付部材６をクッション部材２０２の切り込みＡに差し込むだけでカバー２０５をクッション体２０４に装着できるので、カバー２０５の取り外しを容易にできる。また、取付部材６の抜け止め部６４はクッション部材２０２と滑り止めシート３の間に位置するので、抜け止め部６４が浴槽用クッション２０１の底面に露出せず、滑り止めシート３のみが浴槽底面に当接することとなり、滑り止め効果を確実にできる。
【００４１】
更に、カバー２０５の下面２５２に設けられた多数の突部３３がクッション部材２０２を構成する線条２１に引っかかるので、使用時においてクッション部材２０２とカバー２０５とがずれるのをより確実に防止できる。また、取付部材６には抜け止め部６３が設けられているので、取付部材６がカバー２０５に対してずれることがなく、カバー２０５の取り付けに際してカバー２０５の裏表を間違えることがない。
【００４２】
なお、本実施形態においては、取付部材６の抜け止め部６３は省略することもできる。
【００４３】
［第４実施形態］
次に、本発明の第４実施形態にかかる浴槽用クッションについて説明する。図１２に示す様に、本実施形態の浴槽用クッション４０１は、略矩形状のクッション部材４０２と、クッション部材４０２の裏面４０２ａに設けられた４個の吸盤７（７ａ，７ｂ、７ｃ、７ｄ）と、を備える。クッション部材４０２は、上述したクッション部材２と同一の素材から構成されている。即ち、クッション部材４０２は、熱可塑性樹脂の線条２１（図２参照）からなる三次元網状構造体からなり、このような三次元網状構造体は、熱可塑性樹脂からなる多数の線条をランダムに三次元的に絡み合わせることにより形成されている。なお、クッション部材４０２の表面４０２ｂは波形であるのが好ましい。
【００４４】
吸盤７ａ、７ｂは、クッション部材４０２の上端から所定距離Ｌ１だけ離れた中間部における幅方向Ｄ２両側に配設されている。一方、吸盤７ｃ，７ｄは、クッション体４０４の下端における角部に配設されている。
【００４５】
このように構成された浴槽用クッション４０１は、図１３に示す様に、浴槽Ｂの側面Ｂａに固定させて使用することができる。浴槽用クッション４０１をこのように設置すると、浴槽用クッション４０１は吸盤７により浴槽Ｂの側面Ｂａに対して強固に固定され、使用者が浴槽用クッション４０１にもたれかかっても浴槽用クッション４０１が位置ずれすることがない。
【００４６】
このとき、図１３（ａ）に示す様に、クッション部材４０２の上端が浴槽Ｂの縁Ｂｃの上に位置するように設置することにより、クッション部材４０２の上端側部位がヘッドレストとして機能し、使用者は当該上端側部位に頭を載せて枕代わりにすることができる。また、この場合であっても、上側の吸盤７ａ，７ｂについては、浴槽Ｂの縁Ｂｃではなく、浴槽Ｂ内の側面Ｂａに吸着させるのが好ましい。このように吸着させれば、クッション部材４０２の上端側部位を図１３（ａ）に破線で示す様に内側に折り曲げることにより、浴槽用クッション４０１を浴槽Ｂから取り外すことなく、蓋Ｆを閉めることができる。或いは、図１３（ｂ）に示す様に、クッション部材４０２の上端が浴槽Ｂの縁Ｂよりも下方に位置するようにして設置することもできる。
【００４７】
ここで、一般家庭における浴槽Ｂの深さＬ３が５０ｃｍ〜６０ｃｍ程度であることを考慮すると、クッション部材４０２の長さＬ２（図１２）は、５０ｃｍ〜６５ｃｍであるのが好ましく、５５ｃｍ〜６０ｃｍであるのが更に好ましい。また、クッション部材４０２の上端から上側の吸盤７ａ，７ｂまでの長さＬ１は、１５ｃｍ〜２０ｃｍであるのが好ましく、１７ｃｍ〜１８ｃｍであるのがより好ましい。このような長さＬ２とすることにより、浴槽用クッション４０１を図１３（ａ）に示す様に設置しても或いは図１３（ｂ）に示す様に設置しても、浴槽用クッション４０１が使用者の背中のほぼ全域に当たるようになる。
【００４８】
次に、吸盤７のクッション部材４０２への取り付け方法について図１４を参照して説明する。図１４（ａ）に示す様に、一般的な吸盤７０は、吸着盤本体７１と、吸着盤本体７１の外面中央に設けられた略円筒状の支持突部７２と、を備え、支持突部７２には径方向に延びる貫通孔７２ａが設けられている。本実施形態における吸盤７は、吸盤７０の支持突部７２の端面７２ｂに、貫通孔７２ａに連通する差込口７ａを穿設することにより形成される（図１４（ｂ））。
【００４９】
このようにして形成された吸盤７のクッション部材４０２への取り付けは、図１４（ｂ）に示す取付部材８を用いて行われる。取付部材８は、線材８１と、線材８１の基端側に設けられた円盤状のリベット部８２と、線材８１の先端側に設けられたリブ８３と、を有する。このような取付部材８としては、例えばカール事務器株式会社製のカールファスナを用いることができる。
【００５０】
そして、取付部材８の線材８１をクッション部材４０２の表面４０２ｂ側から裏面４０２ａ側へ挿通させ、更に吸盤７の差込口７ａに差し込む。すると、線材８１の周面に設けられたリブ８３が挿通孔７２ａの内面に係止し、取付部材８は吸盤７から容易には抜けなくなる。
【００５１】
このように、本実施形態においては、市販の吸盤７０に差込口７ａを穿設し、クッション部材４０２を間に挟んで取付部材８を差込口７ａに差し込むだけで吸盤７をクッション部材４０２に取り付けることができ、吸盤７の取付を容易にできる。
【００５２】
なお、本実施形態においても、上述したカバー２０５を併用できる。この場合には、クッション部材４０２の上面４０２ｂにカバー２０５を積層させ、取付部材８をカバー２０５とクッション部材４０２に挿通させて吸盤７に固定すればよい。取付部材８は吸盤７から容易には抜けないものの、所定以上の力を加えることにより取付部材８を吸盤７から引き抜くことができるので、カバー２０５の交換や洗濯の際など、必要に応じて取付部材８を吸盤７から取り外すことができる。
【００５３】
以上、本発明の実施形態に係る浴槽用クッションについて添付の図面を参照して説明したが、本発明はかかる実施形態に限定されず、本発明の範囲を逸脱することなく種々の変形乃至修正が可能である。
【００５４】
例えば、上記浴槽用クッション１は平面視略矩形状としたが、円形状であっても良く、或いは他の多角形状であってもよい。浴槽用クッション１０１についても平面視略矩形状に限定されず、三角形や五角形等、他の多角形状であってもよい。
【００５５】
上記第２実施形態においては、カバー５の耳部５ｂを浴槽用クッション体４の角部４ａに引っ掛けるようにして装着させたが、例えばカバー５及び浴槽用クッション体４の角部等にホックや面ファスナーなどの係止部材を設け、これらの係止部材同士を係止させることによりカバー５を浴槽用クッション体４に装着させてもよい。
【００５６】
また、上記実施形態ではクッション部材２と滑り止めシート３とを超音波融着により固定させたが、超音波融着に限らず縫製等により固定させてもよい。
【００５７】
更に、上記実施形態では滑り止めシート３を用いたが、これに代えて袋状の滑り止めカバー部材を用いることもできる。この場合、滑り止めカバー部材は滑り止めシート３と同一のメッシュ状の部材から形成され、滑り止めカバー部材にクッション部材２を収容させて浴槽用クッション（又は浴槽用クッション体）が構成される。なお、この場合には滑り止めカバー部材の内面に上述した突部３３が設けられる。かかる構成においては、滑り止めカバー部材にクッション部材２が収容されるので、滑り止めカバー部材とクッション部材２とを超音波融着等により固定させる手間を省くことができる。また、このような形態においても、突部３３がクッション部材２を構成する線条２１に引っかかり、使用時においてクッション部材２と滑り止めカバー部材とがずれるのを防止できる。滑り止めカバー部材にクッション部材２を収容させて浴槽用クッション体を構成し、このように構成された浴槽用クッション体に上述したカバー５を装着させて浴槽用クッションを構成することもできる。
【符号の説明】
【００５８】
１，１０１、２０１、４０１  浴槽用クッション
２  クッション部材
３  滑り止めシート
４、２０４  浴槽用クッション体
５、５０１  カバー
５ａ  スリット
７  吸盤
６、８  取付部材
２１  線条
２２  ２０２  フランジ部
３１  孔
３３  突部
【図１】
0006761951.tif 000002
【図２】
0006761951.tif 000003
【図３】
0006761951.tif 000004
【図４】
0006761951.tif 000005
【図５】
0006761951.tif 000006
【図６】
0006761951.tif 000007
【図７】
0006761951.tif 000008
【図８】
0006761951.tif 000009
【図９】
0006761951.tif 000010
【図１０】
0006761951.tif 000011
【図１１】
0006761951.tif 000012
【図１２】
0006761951.tif 000013
【図１３】
0006761951.tif 000014
【図１４】
0006761951.tif 000015